(57)【要約】【課題】  知覚されやすくかつ不快感の少ない適切な報知を報知手段が行う照明装置及び照明器具及び照明システムを提供する。【解決手段】  ランプの累積点灯時間の増加に伴ってランプへの供給電力を増加させることによりランプの光出力を一定に保つ制御部を有する。累積点灯時間がリセットされたことを報知する報知手段の傍に設けられたリセットスイッチと、報知手段による報知を確認できない位置に設けられた電源スイッチとで、それぞれ累積点灯時間のリセットが可能となっている。電源スイッチによるリセットの場合は、リセットスイッチによるリセットの場合に比べ、リセットを報知する報知時間をより長くしている。リセットスイッチによるリセットの報知時間を短くして使用者の不快感を低減しながらも、電源スイッチによるリセットの報知時間を長くして報知を知覚されやすくしている。【選択図】図１
2006228476.tif 000002
【特許請求の範囲】
【請求項１】
ランプに給電して点灯させる点灯手段と、点灯手段を制御してランプへの給電量を増減する制御手段と、ランプの累積点灯時間を計時する計時手段とを備え、制御手段は、累積点灯時間の増加に伴う光出力の低下を抑制するように、計時手段に計時された累積点灯時間が増加するにつれてランプへの給電量を増加させる照明装置において、
それぞれ計時手段に累積点灯時間をリセットさせる複数のリセット手段と、累積点灯時間がリセットされたことを報知する報知手段とを備え、
報知手段は、少なくとも２個のリセット手段に関し、累積点灯時間をリセットさせたリセット手段に応じて異なる報知を行うことを特徴とする照明装置。
【請求項２】
複数のリセット手段は、報知手段の報知が確認できる位置にあり手動操作により累積点灯時間をリセットさせる近距離リセット手段と、報知手段の報知が確認できない位置にあり手動操作により累積点灯時間をリセットさせる遠距離リセット手段とを含み、
近距離リセット手段によって累積点灯時間がリセットされたときには、遠距離リセット手段によって累積点灯時間がリセットされたときに比べ、報知手段がより短時間で報知を終了することを特徴とする請求項１記載の照明装置。
【請求項３】
報知手段からの距離が互いに異なりそれぞれ手動操作によって累積点灯時間をリセットさせるリセット手段を少なくとも２個備え、
累積点灯時間をリセットさせたリセット手段が報知手段から離れているほど、より知覚されやすい報知を報知手段が行うことを特徴とする請求項１記載の照明装置。
【請求項４】
報知手段の報知が確認できない位置に設けられ手動操作により点灯手段への電源の供給をオンオフする電源スイッチと、ランプの寿命末期と交換との少なくとも一方を検知して自動で累積点灯時間をリセットさせる自動リセット手段と、報知手段の報知が確認できる位置に設けられ手動操作により累積点灯時間をリセットさせる手動リセット手段とを備え、
報知手段は、自動リセット手段によって累積点灯時間がリセットされた場合には次に電源スイッチがオンされたときに報知を行うものであって、
手動リセット手段によって累積点灯時間がリセットされたときには、自動リセット手段によって累積点灯時間がリセットされたときに比べ、報知手段がより短時間で報知を終了することを特徴とする請求項１記載の照明装置。
【請求項５】
手動操作によって累積点灯時間をリセットさせる手動リセット手段と、ランプの寿命末期と交換との少なくとも一方を検知して自動で累積点灯時間をリセットさせる自動リセット手段と、手動リセット手段よりも報知手段から離れた位置に設けられ点灯手段への電源の供給をオンオフする電源スイッチとを備え、
報知手段は、自動リセット手段によって累積点灯時間がリセットされた場合には、次に電源スイッチがオンされたときに報知を行うものであって、
自動リセット手段によって計時手段がリセットされたときには、手動リセット手段によって計時手段がリセットされたときに比べ、より知覚されやすい報知を報知手段が行うことを特徴とする請求項１記載の照明装置。
【請求項６】
請求項１〜５のいずれか記載の照明装置と、ランプと、ランプを保持し施工面に取り付けられる器具本体とを備えることを特徴とする照明器具。
【請求項７】
器具本体が施工面に埋込配設される請求項６記載の照明器具と、器具本体が施工面上に配設される請求項６記載の照明器具とを備え、
各照明器具において、報知手段は、ランプと、点灯手段と、点灯手段を制御してランプの光出力を変化させることにより報知を行う制御手段とからなり、
器具本体が施工面に埋込配設される照明器具では、器具本体が施工面上に配設される照明器具に比べ、同じ条件下で、報知時に制御手段がランプの光出力の変化割合をより大きくすることを特徴とする照明システム。
【請求項８】
請求項６記載の照明器具であってランプの発光部の面積が互いに異なる照明器具を複数備え、
各照明器具において、報知手段は、ランプと、点灯手段と、点灯手段を制御してランプの光出力を変化させることにより報知を行う制御手段とからなり、
共通の条件下では、ランプの発光部の面積が小さい照明器具ほど、報知時に制御手段がランプの光出力の変化割合をより大きくすることを特徴とする照明システム。
【発明の詳細な説明】
【技術分野】
【０００１】
本発明は、ランプの累積点灯時間に合わせてランプへの供給電力を増加させる照明装置及び照明器具及び照明システムに関するものである。
【背景技術】
【０００２】
従来から、ランプの累積点灯時間に合わせてランプへの供給電力を増加させることにより、ランプの経時劣化に伴う光出力の低下を抑制する照明装置が提供されている（例えば、特許文献１及び特許文献２参照）。
【０００３】
この種の照明装置として、例えば図１０に示すように、商用電源のような交流電源ＡＣを電源としランプＬに給電し点灯させる点灯部１と、点灯部１を制御してランプＬへの給電量を増減させる制御部２と、例えばＥＥＰＲＯＭからなり累積点灯時間が格納されるメモリ３と、交流電源ＡＣから点灯部及び制御部への電源の供給を手動でオンオフする電源スイッチ４とを備えるものがある。
【０００４】
ランプＬは、例えば図１１に示すように直管形の蛍光灯からなり、施工面としての天井面に取り付けられる器具本体５に設けられたソケット６に取り付けられる。また、器具本体５には、ランプＬの中央部を径方向の両側から弾性的に挟持する支持ばね５１を設けてある。電源スイッチ４は、例えば壁面に取り付けられる壁スイッチからなる。点灯部１は、例えば交流電源ＡＣの出力を直流出力に変換する周知のチョッパ回路と、チョッパ回路の出力を交流電力に変換する周知のインバータ回路とからなる。点灯部１と制御部２とメモリ３とは、それぞれプリント配線板（図示せず）に実装されて器具本体５に収納される。
【０００５】
次に、上記従来例の動作を説明する。
【０００６】
メモリ３には、蛍光体の劣化に起因して図１２（ａ）に示すように累積点灯時間に対して光出力が低下するランプＬに対応し、ランプＬの光出力を一定とするために必要な点灯部１の出力と累積点灯時間との図１２（ｂ）のような対応関係を示すデータテーブルが格納されている。
【０００７】
制御部２は、点灯部１がランプＬへの給電を開始するときに、上記データテーブルと累積点灯時間とをメモリ３から読み出し、読み出された累積点灯時間に応じた電力をランプＬに供給するように点灯部１を制御する。さらに、点灯部１がランプＬへの給電を開始してからランプＬへの給電を終了するまで時間を測定し、メモリ３に格納された累積点灯時間を定期的に更新する。つまり、制御部２とメモリ３とが計時手段である。図１２の例では、ランプＬの寿命は約１２０００時間であり、点灯部１の出力を定格点灯時の値としたときの光出力は、寿命末期には初期の７０％程度となっている。そこで、制御部２は、定格点灯時の値を１００％とした点灯部１の出力（以下、「調光比」と呼ぶ。）を初期には７０％程度とし、累積点灯時間が増加するに従って徐々に調光比を１００％に近付けていくことにより、ランプＬの光出力を略一定に保つ。
【０００８】
ここで、上記照明装置においては、ランプＬが新品に交換されたときには累積点灯時間を０に戻す必要がある。そこで、メモリ３に格納された累積点灯時間を０に戻させる（リセットさせる）ためのリセット手段として例えば押釦からなるリセットスイッチ７が器具本体５に設けられている。すなわち、リセットスイッチ７が例えば図１３に示すように２秒間にわたって押操作されると、制御部２はメモリ３に格納された累積点灯時間をリセットする。このとき、制御部２は調光比を所定の期間（例えば２秒間）にわたって１００％として通常よりもランプＬの光出力を上昇させることにより、累積点灯時間がリセットされたこと（以下、単に「リセット」と呼ぶ。）を報知する。つまり、ランプＬと点灯部１と制御部２とは報知手段でもある。また、報知手段が報知する方法としては、上記のようにランプＬの光出力を変化させる方法の他、ブザー（図示せず）を設けてこれを鳴動させることによって報知する方法や、発光ダイオード（図示せず）を設けてこれを点灯させることによって報知する方法も考えられる。
【０００９】
また、制御部２は、電源スイッチ４の状態を監視しており、電源スイッチ４に所定の操作が加えられたときにも累積点灯時間をリセットする。例えば、図１４に示すように、電源スイッチ４のオンオフの切り替えが２秒以内に合計４回以上行われたときに累積点灯時間をリセットする。つまり、電源スイッチ４はリセット手段でもある。また、図１５に示すようにランプＬが取り外されている間に上記操作が行われた場合には、ランプが取り付けられた後に電源スイッチ４がオンされたときに報知を行う。
【００１０】
さらに、上記従来の照明装置は、ランプＬの寿命末期にフィラメントのエミッタが無くなったこと（以下、「エミレス」と呼ぶ。）を検出するエミレス検出部８を備える。エミレス検出部８は、例えばランプＬの両端電圧を監視し、ランプＬの両端電圧が所定の閾値を超えて上昇したときにエミレスを検出する。
【００１１】
この照明装置では、エミレス検出部８によってエミレスが検出された場合、制御部２は累積点灯時間をリセットするとともに点灯部１を停止させる。そして、リセットの報知は、ランプＬが交換された後に電源スイッチ４がオンされたときに行う。つまり、エミレス検出部８もリセット手段である。
【特許文献１】特開２００１−１５２７６号公報
【特許文献２】特開２００４−２４７２２５号公報
【発明の開示】
【発明が解決しようとする課題】
【００１２】
この照明器具５において、報知手段による報知が確認できる範囲から離れた場所に電源スイッチ４が設けられている場合を考える。
【００１３】
報知が行われる期間の長さ（以下、「報知時間」と呼ぶ。）を短時間（例えば２秒）とすると、図１３に示すリセットスイッチ７によるリセットの場合は問題が生じないものの、図１４に示す電源スイッチ４によるリセットの場合には、リセットを完了した使用者が報知手段による報知が確認できる範囲に到着するまでに報知が終了してしまい、使用者がリセットの成否を確認できない可能性がある。図１５に示すようにランプＬを交換した後に電源スイッチ４がオンされてから報知を行う場合は、エミレス検出によるリセットの場合でも電源スイッチ４によるリセットの場合と同様の問題がある。
【００１４】
一方、報知時間を長時間（例えば１０秒）とすると、電源スイッチ４によるリセットの場合は問題が生じないものの、リセットスイッチ７によるリセットの場合に、報知が長時間過ぎて使用者に不快感を与える可能性がある。特に、上記のように調光比を１００％とすることによってリセットを報知する場合には、使用者が実際に報知を認識できるのは報知が終了して通常の光出力に戻った瞬間であるので、リセットスイッチ７によるリセットの場合に使用者がリセットの操作を完了してからリセットを確認できるまでに無駄に時間がかかることになる。
【００１５】
また、報知手段の報知が確認できる位置に電源スイッチ４が設けられている場合でも、報知の程度が問題となる。図１１の例では、リセットスイッチ７は器具本体５に設けられているため、使用者はリセットスイッチ７を操作するときにはランプＬや器具本体５に顔を近づけていることになる。例えばランプＬ（または器具本体５に設けた発光ダイオード）の光出力の変化によってリセットを報知する場合、使用者はリセットスイッチ７を操作するときには電源スイッチ４を操作するときに比べて視界のより広い部分をランプＬ（または発光ダイオード）に占められるから、電源スイッチ４によるリセットの際は適切に思われる程度の光出力の変化がリセットスイッチ７によるリセットの際には不快に思われたり、リセットスイッチ７によるリセットの際には適切に思われる程度の光出力の変化が電源スイッチ４によるリセットの際は分かりにくいといったことが考えられる。また、ブザーの鳴動によってリセットを報知する場合、電源スイッチ４によるリセットの際は適切に思われる程度の音量がリセットスイッチ７によるリセットの際には不快に思われたり、リセットスイッチ７によるリセットの際には適切に思われる程度の音量が電源スイッチ４によるリセットの際は聞こえにくいといったことが考えられる。
【００１６】
本発明は上記事由に鑑みて為されたものであり、その目的は、知覚されやすくかつ不快感の少ない適切な報知を報知手段が行う照明装置及び照明器具及び照明システムを提供することにある。
【課題を解決するための手段】
【００１７】
請求項１の発明は、ランプに給電して点灯させる点灯手段と、点灯手段を制御してランプへの給電量を増減する制御手段と、ランプの累積点灯時間を計時する計時手段とを備え、制御手段は、累積点灯時間の増加に伴う光出力の低下を抑制するように、計時手段に計時された累積点灯時間が増加するにつれてランプへの給電量を増加させる照明装置において、それぞれ計時手段に累積点灯時間をリセットさせる複数のリセット手段と、累積点灯時間がリセットされたことを報知する報知手段とを備え、報知手段は、少なくとも２個のリセット手段に関し、累積点灯時間をリセットさせたリセット手段に応じて異なる報知を行うことを特徴とする。
【００１８】
この発明によれば、報知手段は、リセット手段に応じて報知を異ならせることにより、知覚されやすくかつ不快感の少ない適切な報知を行う。
【００１９】
請求項２の発明は、請求項１の発明において、複数のリセット手段は、報知手段の報知が確認できる位置にあり手動操作により累積点灯時間をリセットさせる近距離リセット手段と、報知手段の報知が確認できない位置にあり手動操作により累積点灯時間をリセットさせる遠距離リセット手段とを含み、近距離リセット手段によって累積点灯時間がリセットされたときには、遠距離リセット手段によって累積点灯時間がリセットされたときに比べ、報知手段がより短時間で報知を終了することを特徴とする。
【００２０】
この発明によれば、近距離リセット手段によるリセットの報知を比較的に短時間で終了させて使用者の不快感を低減しながらも、遠距離リセット手段によるリセットの報知を比較的に長時間継続することにより報知を知覚されやすくしている。
【００２１】
請求項３の発明は、請求項１の発明において、報知手段からの距離が互いに異なりそれぞれ手動操作によって累積点灯時間をリセットさせるリセット手段を少なくとも２個備え、累積点灯時間をリセットさせたリセット手段が報知手段から離れているほど、より知覚されやすい報知を報知手段が行うことを特徴とする。
【００２２】
この発明によれば、比較的に報知手段の近くにあるリセット手段によるリセットの報知を比較的に知覚されにくくして使用者の不快感を低減しながらも、比較的に報知手段から離れているリセット手段によるリセットの報知を比較的に知覚されやすくしている。
【００２３】
請求項４の発明は、請求項１の発明において、報知手段の報知が確認できない位置に設けられ手動操作により点灯手段への電源の供給をオンオフする電源スイッチと、ランプの寿命末期と交換との少なくとも一方を検知して自動で累積点灯時間をリセットさせる自動リセット手段と、報知手段の報知が確認できる位置に設けられ手動操作により累積点灯時間をリセットさせる手動リセット手段とを備え、報知手段は、自動リセット手段によって累積点灯時間がリセットされた場合には次に電源スイッチがオンされたときに報知を行うものであって、手動リセット手段によって累積点灯時間がリセットされたときには、自動リセット手段によって累積点灯時間がリセットされたときに比べ、報知手段がより短時間で報知を終了することを特徴とする。
【００２４】
この発明によれば、比較的に報知手段の近くにある手動リセット手段が操作されたときに行われる報知を比較的に短時間で終了させて使用者の不快感を低減しながらも、比較的に報知手段から離れている電源スイッチが操作されたときに行われる報知を比較的に長時間行うことにより報知を知覚されやすくしている。
【００２５】
請求項５の発明は、請求項１の発明において、手動操作によって累積点灯時間をリセットさせる手動リセット手段と、ランプの寿命末期と交換との少なくとも一方を検知して自動で累積点灯時間をリセットさせる自動リセット手段と、手動リセット手段よりも報知手段から離れた位置に設けられ点灯手段への電源の供給をオンオフする電源スイッチとを備え、報知手段は、自動リセット手段によって累積点灯時間がリセットされた場合には、次に電源スイッチがオンされたときに報知を行うものであって、自動リセット手段によって計時手段がリセットされたときには、手動リセット手段によって計時手段がリセットされたときに比べ、より知覚されやすい報知を報知手段が行うことを特徴とする。
【００２６】
この発明によれば、比較的に報知手段の近くにある手動リセット手段が操作されたときに行われる報知を比較的に知覚されにくくして使用者の不快感を低減しながらも、比較的に報知手段から離れている電源スイッチが操作されたときに行われる報知を比較的に知覚されやすくしている。
【００２７】
請求項６の発明は、請求項１〜５のいずれか記載の照明装置と、ランプと、ランプを保持し施工面に取り付けられる器具本体とを備えることを特徴とする。
【００２８】
請求項７の発明は、器具本体が施工面に埋込配設される請求項６記載の照明器具と、器具本体が施工面上に配設される請求項６記載の照明器具とを備え、各照明器具において、報知手段は、ランプと、点灯手段と、点灯手段を制御してランプの光出力を変化させることにより報知を行う制御手段とからなり、器具本体が施工面に埋込配設される照明器具では、器具本体が施工面上に配設される照明器具に比べ、同じ条件下で、報知時に制御手段がランプの光出力の変化割合をより大きくすることを特徴とする。
【００２９】
この発明によれば、器具本体が施工面上に配設されランプの光出力の変化が比較的に知覚されやすい照明器具においてランプの光出力の変化割合を比較的に小さくして使用者の不快感を低減しながらも、器具本体が埋込配設されランプの光出力の変化が比較的に知覚されにくい照明器具においてランプの光出力の変化割合を比較的に大きくして報知を知覚されやすくしている。
【００３０】
請求項８の発明は、請求項６記載の照明器具であってランプの発光部の面積が互いに異なる照明器具を複数備え、各照明器具において、報知手段は、ランプと、点灯手段と、点灯手段を制御してランプの光出力を変化させることにより報知を行う制御手段とからなり、共通の条件下では、ランプの発光部の面積が小さい照明器具ほど、報知時に制御手段がランプの光出力の変化割合をより大きくすることを特徴とする。
【００３１】
この発明によれば、ランプの発光部の面積が比較的に広くランプの光出力の変化が比較的に知覚されやすい照明器具においてランプの光出力の変化割合を比較的に小さくして使用者の不快感を低減しながらも、ランプの発光部の面積が比較的に狭くランプの光出力の変化が比較的に知覚されにくい照明器具においてランプの光出力の変化割合を比較的に大きくして報知を知覚されやすくしている。
【発明の効果】
【００３２】
本発明によれば、報知手段が、少なくとも２個のリセット手段に関し、累積点灯時間をリセットさせたリセット手段に応じて異なる報知を行うので、知覚されやすくかつ不快感の少ない適切な報知を行う。
【発明を実施するための最良の形態】
【００３３】
以下、本発明を実施するための最良の形態について図面を参照しながら説明する。
【００３４】
（実施形態１）
本実施形態の基本構成は従来例と共通であるので、共通する部分については同じ符号を付して図示及び説明を省略する。
【００３５】
本実施形態の電源スイッチ４は、報知手段による報知を確認できない位置に設けられている。つまり、電源スイッチ４が遠距離リセット手段であり、リセットスイッチ７が近距離リセット手段である。また、エミレス検出部８が自動リセット手段であり、リセットスイッチ７が手動リセット手段である。
【００３６】
また、制御部２は、図１に示すように、電源スイッチ４によるリセットの場合や、エミレス検出部８がエミレスを検出したことによるリセットの場合は、リセットスイッチ７によるリセットの場合に比べ、それぞれリセットを報知する時間（以下、「報知時間」という。）をより長くする。
【００３７】
具体的には例えば、リセットスイッチ７によるリセットの場合には図１３に示すように報知時間を２秒とする一方で、電源スイッチ４によるリセットの場合には図２及び図３に示すように報知時間を１０秒とする。また、エミレス検出部８がエミレスを検出したことによるリセットの場合、図４に示すように電源スイッチ４によるリセットの場合と同様に報知時間を１０秒とし、ランプＬが交換されてから電源スイッチ４がオンされた後に報知する。
【００３８】
上記構成によれば、リセットスイッチ７によるリセットの報知時間を短くして使用者の不快感を低減しながらも、電源スイッチ４やエミレス検出によるリセットの報知時間を長くして報知を知覚されやすくしている。
【００３９】
なお、報知手段としては従来例で述べたようにブザーや発光ダイオードを用いてもよい。この場合の報知時間は、ブザーを鳴動させる時間や発光ダイオードを点灯させる時間である。
【００４０】
また、報知時間は上記に限られず、電源スイッチ４やエミレス検出によるリセットの場合の報知時間は、電源スイッチ４を操作した使用者が報知手段による報知を確認できる位置まで移動するのに十分な時間であればよい。つまり、図１に示すように、電源スイッチ４が報知手段から離れているほど、報知時間を長くする。また、電源スイッチ４によるリセットの場合の報知時間を手動操作によって可変としてもよい。具体的には、手動操作される例えばロータリースイッチからなる調整手段（図示せず）を設け、制御部２は、調整手段に加えられた操作に応じて電源スイッチ４によるリセットの場合の報知時間を変更する。
【００４１】
さらに、ランプＬが交換される際の無負荷状態を検出する無負荷検出部（図示せず）を設け、無負荷検出部によって無負荷状態が検出されたときにも制御部２が累積点灯時間をリセットするようにしてもよい。つまり、無負荷検出部は自動リセット手段となる。この場合、報知が行われるのはランプＬが交換された後に電源スイッチ４がオンされたときとなるので、電源スイッチ４によるリセットの報知の場合と同様に、報知時間はリセットスイッチ７によるリセットの報知時間よりも長く例えば１０秒とする。
【００４２】
また、累積点灯時間に応じて調光比を決定する方法はデータテーブルを用いる方法に限られず、計算式を用いてもよい。
【００４３】
さらに、互いに特性の異なる複数種類のランプＬに対応した複数のデータテーブル又は計算式をメモリ３に格納するとともに、手動操作される例えば切換スイッチからなる切換手段（図示せず）を設け、制御部２が切換手段の状態に応じて点灯部１の制御に用いるデータテーブル又は計算式を決定するようにしてもよい。この構成を採用すれば、使用者が切換手段を操作することにより、互いに特性の異なる複数種類のランプＬに対応可能となる。
【００４４】
（実施形態２）
本実施形態の基本構成は従来例と共通であるので、共通する部分については同じ符号を付して図示及び説明を省略する。
【００４５】
本実施形態の電源スイッチ４は、報知手段による報知を確認できる位置であってリセットスイッチ７よりも報知手段から離れた位置に設けられている。また、エミレス検出部８が自動リセット手段であり、リセットスイッチ７が手動リセット手段である。
【００４６】
また、制御部２は、リセットスイッチ７によるリセットの場合には、図５に示すように調光比を１秒間１００％にする→調光比を１秒間７０％にするという動作を２回繰り返してから調光比を通常の値（例えば７０％）に移行させる。一方、電源スイッチ４によるリセットの場合やエミレス検出によるリセットの場合には、図６及び図７に示すように調光比を１秒間１００％にする→調光比を１秒間５０％にするという動作を２回繰り返してから調光比を通常の値に移行させる。つまり、電源スイッチ４によるリセットの場合やエミレス検出によるリセットの場合には、リセットスイッチ７によるリセットの場合に比べ、より知覚されやすい報知が行われる。
【００４７】
上記構成によれば、報知手段に近いリセットスイッチ７によるリセットの場合に報知を比較的に知覚されにくくして使用者の不快感を低減しながらも、報知手段から離れた電源スイッチ４によるリセットの場合や、電源スイッチ４が操作されたときに報知が行われるエミレス検出によるリセットの場合は、報知を比較的に知覚されやすくしている。
【００４８】
なお、電源スイッチ４によるリセットの場合やエミレス検出によるリセットの場合に、リセットスイッチ７によるリセットの場合よりも、調光比の変化割合をより大きくするのであれば、調光比を変化させる時間や回数や調光比の数値は上記に限られない。また、電源スイッチ４によるリセットの報知時の調光比の変化割合を手動操作によって可変としてもよい。具体的には、手動操作される例えばロータリースイッチからなる調整手段（図示せず）を設け、制御部２は、調整手段に加えられた操作に応じて電源スイッチ４によるリセットの場合の調光比の下限値（上記の例では５０％）を変更する。
【００４９】
また、報知手段は上記のようなランプＬの光出力の変化に限られず、従来例で述べたようにブザーや発光ダイオードを用いてもよい。ブザー及び発光ダイオードは、例えば制御部２が制御する。
【００５０】
ブザーを用いる場合、電源スイッチ４によるリセットの場合やエミレス検出によるリセットの報知時には、リセットスイッチ７によるリセットの報知時に比べ、ブザーの音量を大きくしたり、ブザーの発生する音を照明装置の使用環境においてより聞き取りやすい音（例えばより周波数の低い音）とする。
【００５１】
発光ダイオードを用いる場合、電源スイッチ４によるリセットの場合やエミレス検出によるリセットの報知時には、リセットスイッチ７によるリセットの報知時よりも、発光ダイオードの光出力を高くする。または、発光ダイオードを複数個用い、電源スイッチ４によるリセットの場合やエミレス検出によるリセットの場合には、リセットスイッチ７によるリセットの場合よりも、数多くの発光ダイオードを点灯させる。
【００５２】
（実施形態３）
本実施形態は、複数の照明器具からなる照明システムである。各照明器具はそれぞれ、天井面（図示せず）に埋込配設される図８に示すような埋込型の器具本体５、または、天井面上に取り付けられる図９に示すような所謂富士山型の器具本体５と、調光比の変化によってリセットを報知する実施形態２の照明装置と、直管形の蛍光灯からなるランプＬとを備える。
【００５３】
ところで、埋込型の器具本体５を有する照明器具では、天井面上に取り付けられる器具本体５を有する照明器具に比べ、ランプＬの光出力の変化が知覚されにくくなっている。
【００５４】
そこで、本実施形態では、埋込型の器具本体５を有する照明器具の制御部２は、天井面上に取り付けられる器具本体５を有する照明器具の制御部２に比べ、同じ条件でのリセットの報知時の調光比の変化割合すなわちランプＬの光出力の変化割合をより大きくする。
【００５５】
例えば、同じように電源スイッチ４によるリセットの場合であっても、天井面上に取り付けられる器具本体５を有する照明器具では、制御部２は、調光比を１秒間１００％にする→調光比を１秒間７０％にするという動作を２回繰り返してから調光比を通常の値（例えば７０％）に移行させる。一方、埋込型の器具本体５を有する照明器具では、制御部２は、調光比を１秒間１００％にする→調光比を１秒間５０％にするという動作を２回繰り返してから調光比を通常の値に移行させる。なお、リセットスイッチ７によるリセットの場合には調光比の変化割合を上記よりも小さくする点は実施形態２と共通である。
【００５６】
上記構成によれば、天井面上に取り付けられる器具本体５を有しランプＬの光出力の変化が比較的に知覚されやすい照明器具ではランプＬの光出力の変化割合を比較的に小さくして使用者の不快感を低減しながらも、埋込型の器具本体５を有しランプＬの光出力の変化が比較的に知覚されにくい照明器具ではランプＬの光出力の変化割合を比較的に大きくして報知を知覚されやすくしている。
【００５７】
（実施形態４）
本実施形態は、図１１に示すように直管形であって比較的に管長が長く発光部の面積が広いＨｆ８６Ｗ形の蛍光灯からなるランプＬを取り付け可能な器具本体５、または、図９に示すように直管形であって比較的に管長が短く発光部の面積が狭いＨｆ３２Ｗ形の蛍光灯からなるランプＬを取り付け可能な器具本体５と、調光比の変化によってリセットを報知する実施形態２の照明装置と、ランプＬとをそれぞれ備える複数の照明器具からなる照明システムである。
【００５８】
本実施形態では、ランプＬの発光部が比較的に狭い図９の照明器具の制御部２は、ランプＬの発光部が比較的に広い図１１の照明器具の制御部２に比べ、同じ条件でのリセットの報知時の調光比の変化割合をより大きくする。
【００５９】
例えば、同じように電源スイッチ４によるリセットの場合であっても、ランプＬの発光部が比較的に広い図１１の照明器具では、制御部２は、調光比を１秒間１００％にする→調光比を１秒間７０％にするという動作を２回繰り返してから調光比を通常の値（例えば７０％）に移行させる。一方、ランプＬの発光部が比較的に狭い図９の照明器具では、制御部２は、調光比を１秒間１００％にする→調光比を１秒間５０％にするという動作を２回繰り返してから調光比を通常の値に移行させる。なお、リセットスイッチ７によるリセットの場合には調光比（ランプＬの光出力）の変化割合を上記よりも小さくする点は実施形態２と共通である。
【００６０】
上記構成によれば、ランプＬの発光部が比較的に広くランプＬの光出力の変化が知覚されやすい図１１の照明器具ではランプＬの光出力の変化割合を比較的に小さくして使用者の不快感を低減しながらも、ランプＬの発光部が比較的に狭くランプＬの光出力の変化が知覚されにくい図９の照明器具ではランプＬの光出力の変化割合を比較的に大きくして報知を知覚されやすくしている。
【００６１】
なお、ランプＬの発光部の面積が選択される例えば切換スイッチ（図示せず）を照明装置に設け、制御部２は切換スイッチの状態に応じて調光比の変化割合を変化させるようにすれば、ランプＬの発光部の面積が互いに異なる複数種類の照明器具において照明装置を共用とすることができる。
【図面の簡単な説明】
【００６２】
【図１】本発明の実施形態１の概要を示す説明図である。
【図２】電源スイッチによるリセットがなされた場合の同上の動作を示す説明図である。
【図３】ランプが取り外されている期間にリセットがなされた場合の同上の動作を示す説明図である。
【図４】エミレス検出によるリセットがなされた場合の同上の動作を示す説明図である。
【図５】本発明の実施形態２においてリセットスイッチによるリセットがなされた場合の動作を示す説明図である。
【図６】電源スイッチによるリセットがなされた場合の同上の動作を示す説明図である。
【図７】エミレス検出によるリセットがなされた場合の同上の動作を示す説明図である。
【図８】本発明の実施形態３における器具本体の一例を示す斜視図である。
【図９】同上における別の例の器具本体を有する照明器具を示す斜視図である。
【図１０】照明装置の構成の一例を示すブロック図である。
【図１１】照明器具の一例を示す斜視図である。
【図１２】（ａ）はランプの特性変化の一例を示すグラフであり、（ｂ）は制御部の動作の一例を示すグラフである。
【図１３】従来例においてリセットスイッチによるリセットがなされた場合の動作を示す説明図である。
【図１４】同上において電源スイッチによるリセットがなされた場合の動作を示す説明図である。
【図１５】同上においてランプが取り外されている期間にリセットがなされた場合の動作を示す説明図である。
【符号の説明】
【００６３】
１  点灯部
２  制御部
３  メモリ
４  電源スイッチ
５  器具本体
７  リセットスイッチ
Ｌ  ランプ
【図１】
2006228476.tif 000003
【図２】
2006228476.tif 000004
【図３】
2006228476.tif 000005
【図４】
2006228476.tif 000006
【図５】
2006228476.tif 000007
【図６】
2006228476.tif 000008
【図７】
2006228476.tif 000009
【図８】
2006228476.tif 000010
【図９】
2006228476.tif 000011
【図１０】
2006228476.tif 000012
【図１１】
2006228476.tif 000013
【図１２】
2006228476.tif 000014
【図１３】
2006228476.tif 000015
【図１４】
2006228476.tif 000016
【図１５】
2006228476.tif 000017